(57)【特許請求の範囲】
【請求項１】
始動条件が成立することにより図柄変動表示器の表示図柄が変動し、予め定められた所定図柄にて停止すると特別遊技状態となり、可変入賞装置を所定ラウンドを上限として繰り返し開成状態とするパチンコ遊技機において、変動中の表示図柄を停止させることに係る複数種類の特典フラグを備え、特別遊技状態であるときに上記特典フラグの獲得の有無を競う図柄変動態様獲得ゲームを図柄変動表示器に表示するとともに、該図柄変動態様獲得ゲームにて獲得された特典フラグが記憶され、この特別遊技状態が終了した後に図柄変動表示器に表示される表示図柄が上記図柄変動態様獲得ゲームにて獲得された特典フラグに従って変動し停止するようにしたことを特徴とするパチンコ遊技機。
【請求項２】
特別遊技状態であるときにラウンドの進行に合せて図柄変動態様獲得ゲームが表示され複数種類の特典フラグを獲得し得るようにした請求項１に記載のパチンコ遊技機。
【請求項３】
図柄変動表示器の表示図柄が変動停止した際に所持中の特典フラグの一覧が該図柄変動表示器に表示されるようにした請求項１または２に記載のパチンコ遊技機。
【請求項４】
特典フラグに有効期限を設けた請求項１〜３のいずれかに記載のパチンコ遊技機。
【発明の詳細な説明】
【０００１】
【発明の属する技術分野】
本発明は、始動条件が成立することにより液晶表示器等の図柄変動表示器に図柄が変動表示され、偶然性をもって所定の確率で所定図柄にて停止すると特別遊技状態（大当たり）となって可変入賞装置を繰り返し開成状態とするパチンコ遊技機に関するものである。
【０００２】
【従来の技術】
第１種パチンコ遊技機は、周知のように、遊技盤面にカラー液晶表示器，ＣＲＴ等の図柄変動表示器が設けられ、遊技者の打った打球がチューリップ型の始動口に入ると、該図柄変動表示器に１〜８の数字および☆◆◎等の記号またはキャラクター等の図柄が夫々上下または左右に流れる如くに複数列（通常は３列）にて変動表示され、その表示の変動は数秒後に順に停止し、その停止図柄が所定の確率（１／３００程度）で偶然性をもって例えば「２２２」，「７７７」，「☆☆☆」のように予め定められた所定図柄となった場合に大当たりとなり特別遊技状態となって、可変入賞装置（大入賞口）の開閉扉がソレノイドの作動により開成状態となり、その開成状態の可変入賞装置に打球が所定個数（通常は１０個）入球するか、または開成状態で所定制限時間（通常は３０秒）が経過すると、いわゆる第１ラウンドが終わって該可変入賞装置は一旦は閉じるが、この第１ラウンド中に該可変入賞装置内に設けられている継続入賞口（Ｖゾーンと称される）に打球が入球していた場合には第２ラウンドが始まってすぐにまた該可変入賞装置が開かれ、開成状態となった可変入賞装置にまた打球が所定個数（通常は１０個）入球するか、または開成状態で所定制限時間（通常は３０秒）が経過すると、第２ラウンドが終わって該可変入賞装置はまた閉じるが、その第２ラウンド中にまた継続入賞口に打球が入球していた場合には第３ラウンドが始まりすぐにまた該可変入賞装置が開かれ、こうして各ラウンド中に継続入賞口に打球が入賞したことを条件として最終ラウンド（例えば第１６ラウンド）になるまで該可変入賞装置が継続的に開かれ、このような特別遊技状態であるときに多数の景品球を取得できることから遊技者に多くの利益がもたらされるように構成したものである。
【０００３】
また、上記図柄変動表示器の変動表示は、通常は左列，右列，中列の順に停止するが、左列と右列が同じ図柄で停止した場合は、中列が一旦は違う図柄に停止しても再び逆方向に流れ、結局は総て同一図柄で停止し大当たりとなったり、或いはまた違う図柄でしか停止しなかったりする表示（一般に「リーチ状態」と称されている）がなされている。つまりこうした「リーチ状態」のような図柄の特有な変動態様、或は「スーパーリーチ」と称されるような特有な変動態様をすることで、遊技者の大当たり発生に対する期待感を大きくさせ、遊技者を楽しませるようにしている。
【０００４】
さらにこの種のパチンコ遊技機では、「３３３」「５５５」「７７７」等の奇数図柄（以下、特定図柄という）で大当たりした場合に、その特別遊技状態の終了後における大当たり発生の確率を例えば通常の１／３００から１／６０に上昇させ（業界では「確変」と称している）たり、前記チューリップ型の始動口の開成時間を通常の０．５秒間から２秒間に延長（業界では「時短」と称している）して始動条件が成立し易くする等の特典が与えられるようにし、特別遊技状態が終了した後も遊技者にとって有利な状況が続くようにしたものが知られている。
【０００５】
また、特別遊技状態にあるときは上記のように可変入賞装置が最終ラウンドになるまで継続的に開放状態となるが、その間は図柄変動表示器に何らかのストーリー性を有する動画が表示されるものの、遊技者はその動画をただ漠然と眺めるにすぎず遊技性に乏しいものであった。なお、そのストーリーの結末によって上記「確変」もしくは「時短」がもたらされるようにしたものもあったが、遊技者に新たなる充分な興味を与えることには至っていない。
【０００６】
【発明が解決しようとする課題】
そこで本発明は、特別遊技状態にあるときに新たなるゲーム性を有し遊技者に充分な興味を与えられるパチンコ遊技機を提供しようとするものである。
【０００７】
【課題を解決するための手段】
そのために本発明は、始動条件が成立することにより図柄変動表示器の表示図柄が変動し、予め定められた所定図柄にて停止すると特別遊技状態となり、可変入賞装置を所定ラウンドを上限として繰り返し開成状態とするパチンコ遊技機において、変動中の表示図柄を停止させることに係る複数種類の特典フラグを備え、特別遊技状態であるときに上記特典フラグの獲得の有無を競う図柄変動態様獲得ゲームを図柄変動表示器に表示するとともに、該図柄変動態様獲得ゲームにて獲得された特典フラグが記憶され、この特別遊技状態が終了した後に図柄変動表示器に表示される表示図柄が上記図柄変動態様獲得ゲームにて獲得された特典フラグに従って変動し停止するようにしたことを特徴とする。
また本発明は上記パチンコ遊技機において、特別遊技状態であるときにラウンドの進行に合せて図柄変動態様獲得ゲームが表示され複数種類の特典フラグを獲得し得るようにしたことを特徴とする。
また本発明は上記パチンコ遊技機において、図柄変動表示器の表示図柄が変動停止した際に所持中の特典フラグの一覧が該図柄変動表示器に表示されるようにしたことを特徴とする。
また本発明は上記パチンコ遊技機において、特典フラグに有効期限を設けたことを特徴とする。
【０００８】
【発明の実施の形態】
次に発明の実施形態を図面に従い説明する。図１にこのパチンコ遊技機における遊技盤１の正面を示し、図中、２は該遊技盤１上に設けられたカラー液晶表示器からなる図柄変動表示器、３は普通入賞口、４は通過ゲート、５はソレノイドにより一対の羽根が開閉動し得るように設けられたチューリップ型の始動口、６は上部天入賞口である。７は該始動口５の下方に設けられた大きな長方形状の大入賞口からなる可変入賞装置で、該可変入賞装置７にはソレノイドの作動により開閉動する開閉扉８が設けられ、該可変入賞装置７内には継続入賞口９が設けられている。なお、１０は図柄変動表示器２が変動表示中に始動口５に打球が入賞した場合にその個数を記憶し始動を保留するために設けた４つの表示ランプ、１１は通過ゲート４を打球が通過することにより変動開始する普通図柄変動表示器（７セグメントデジタル表示装置）、１２は該普通図柄変動表示器１１が変動表示中に通過ゲート４に打球が通った場合にその個数を記憶し変動表示を保留するために設けられた４つの表示ランプ、１３は装飾ランプである。
【０００９】
図２はＣＰＵ，ＲＯＭ，ＲＡＭ，Ｉ／Ｏからなる制御基板１５に接続される本発明に関連する入出力機器を示したブロック図で、２０は通過ゲート４を通過した打球を検出する通過検出スイッチ、２１は始動口５に入賞した打球を検出する始動スイッチ、２２は前記可変入賞装置７への入賞球を計数するカウントスイッチ、２３は前記継続入賞口９への入賞球を検出する特定領域スイッチであり、該遊技制御基板にはさらに前記図柄変動表示器２と、普通図柄変動表示器１１と、装飾ランプ１３と、可変入賞装置７のソレノイド２５と、始動口５の羽根を開閉動させるソレノイド２６が接続されている。
【００１０】
しかして本発明では、特別遊技状態であるときに図柄変動表示器２に特典フラグを獲得する図柄変動態様獲得ゲームを表示する。図３はこの図柄変動態様獲得ゲームの一態様として魚釣りを模したゲームの推移を示すもので、図柄変動表示器２に「大当り」が表示され、可変入賞装置７の開閉扉８が開かれて第１ラウンドが開始されると、釣糸が放たれて「釣り」の状況を表す動画が表示され、遊技者にとって有利な特典フラグである図柄変動カードを釣り上げることができるかどうかが注目され、第１ラウンドが終って第２ラウンドになると「１コマ進める」カードを図示したように釣り上げて獲得できた画面、或は釣糸が切れて獲得できなかった画面等が表示される。続いて第３ラウンドになると、図４に示したように、また「釣り」の状況を表す動画が表示され、第４ラウンドになると今度は「２コマ戻る」カードを図示したように釣り上げて獲得できた画面、或は釣糸が切れて獲得できなかった画面等が表示される。以下同様に第１４ラウンドに至るまで「１コマ戻る」カード，「２コマ進める」カード，「コマ送りリーチ」カード，「背負投げリーチ」カード，「押え込みリーチ」カード，「すべり」カード，「再抽選」カード等の種々の図柄変動カードを獲得するゲームが続けられ、最終ラウンドである第１５ラウンドではこの期間中に獲得された各図柄変動カードの一覧を表示し、この特別遊技状態を終える。
【００１１】
なお、図５はこの特別遊技状態のフローチャートを示したもので、最終の第１５ラウンドまで継続されるかどうかは各ラウンド中に継続入賞口９に打球が入賞するかどうかによるので、途中で獲得された図柄変動カードの一覧が表示され特別遊技状態が終ることもある。
【００１２】
そして、通常遊技状態に戻り、図６のフローチャートに示したように、始動スイッチ２１による始動口５への入賞が検知されると、大当たり発生の可否、特典の有無、図柄の種類等を決するための乱数が取得され、図柄変動表示器２に１〜８の数字および☆◆◎等の記号またはキャラクター等の図柄が３列にて上から下に流れる如くに変動表示され、数秒後にその変動が左列，右列，中列の順に停止する。その結果、図７（ａ）に例示したように左列と右列とが同じ停止図柄である場合など大当たりにわずかに及ばない停止状態であった場合に、（ｂ）に示したように該図柄変動表示器の一部に上記特別遊技状態にて獲得された特典フラグである図柄変動カードの一覧が表示され、これらのカード中にこの停止図柄を大当たりに導くのに適したカードがあるかどうかが問われ（この場合「１コマ進める」カードの有無）、あった場合は、（ｃ）（ｄ）（ｅ）に示したようにこのカードが使用されることにより中列の停止図柄が再変動して大当たりとなる。一方、（ｆ）に示したように適したカードを所持してなければハズレとなる。なお、上記で使用された特典フラグは記憶が消されそのカードの表示は無くなる。
【００１３】
また、所持している図柄変動カードは、始動口５へ入賞し図柄変動表示器の図柄が変動表示した回数（スタート数）が例えば１００回に達したら無効化し、その特典フラグの記憶を抹消することで所定の有効期限を設けることもできる。
【００１４】
また、図８に例示したように、「２２２」のように通常図柄での大当たりとなった場合にもカードの一覧が表示され、ここではこの大当たりを上記「確変」「時短」等の特典を伴う特定図柄での大当たりに変更し得るに適した「再抽選」カードの有無が問われ、このカードを使用することによって「７７７」等の特定図柄での大当たりがもたらされる。
【００１５】
このように遊技者にとっては所持している図柄変動カードの多少が大当たりを発生させる確率を上昇させたり、さらには特定図柄での大当たりを発生させる確率を上昇させるので、特別遊技状態における多種カードの取得はその後の遊技を有利に進めるための重要なポイントになる。このため、特別遊技状態の期間は上記図柄変動態様獲得ゲームの成績が大いに注視されることとなり、遊技者を楽しませることができる。
【００１６】
一方、図９に示したフローチャートは、始動口への入賞が検知され、乱数が取得され、図柄変動カードの所持の有無が判別され、さらにそのカードに基く図柄変動をするかどうかが判別され、通常変動をするか、カード使用による再変動を許諾するものであるか等がこれらの判別によって選択される。この例に示したようなフローチャートにより制御されるようにすることによっても、図柄変動表示器の図柄表示を本発明に従い再変動するものとすることができる。
【００１７】
なお上記実施形態では、図柄変動態様獲得ゲームの一態様として魚釣りをする場面を表示したが、ボクシング，球技等のスポーツ、或は、ジャンケン，トランプゲーム等、その他のゲームが表示されるようにしてもよい。
【００１８】
【発明の効果】
以上実施形態について説明したように本発明は、始動条件が成立することにより図柄変動表示器の表示図柄が変動し、予め定められた所定図柄にて停止すると特別遊技状態となり、可変入賞装置を所定ラウンドを上限として繰り返し開成状態とするパチンコ遊技機において、変動中の表示図柄を停止させることに係る複数種類の特典フラグを備え、特別遊技状態であるときに上記特典フラグの獲得の有無を競う図柄変動態様獲得ゲームを図柄変動表示器に表示するとともに、該図柄変動態様獲得ゲームにて獲得された特典フラグが記憶され、この特別遊技状態が終了した後に図柄変動表示器に表示される表示図柄が上記図柄変動態様獲得ゲームにて獲得された特典フラグに従って変動し停止するようにしたので、特別遊技状態にあるときも図柄変動表示器の表示にゲーム性を持たせられ、興趣を増大させる効果がある。
【図面の簡単な説明】
【図１】本発明に係るパチンコ遊技機の遊技盤の実施形態を示す正面図。
【図２】本発明に係るパチンコ遊技機の実施形態を示すブロック図。
【図３】本発明の実施形態を示す図柄変動態様獲得ゲームの表示推移図。
【図４】本発明の実施形態を示す図柄変動態様獲得ゲームの表示推移図。
【図５】本発明の実施形態を示すパチンコ遊技機のフローチャート。
【図６】本発明の実施形態を示すパチンコ遊技機のフローチャート。
【図７】本発明の実施形態を示す図柄変動表示器の図柄変動表示推移図。
【図８】本発明の実施形態を示す図柄変動表示器の図柄変動表示推移図。
【図９】本発明の実施形態を示すパチンコ遊技機のフローチャート。
【符号の説明】
１          遊技盤
２          図柄変動表示器
５          始動口
７          可変入賞装置
【図１】
0003629001.tif 000002
【図２】
0003629001.tif 000003
【図３】
0003629001.tif 000004
【図４】
0003629001.tif 000005
【図５】
0003629001.tif 000006
【図６】
0003629001.tif 000007
【図７】
0003629001.tif 000008
【図８】
0003629001.tif 000009
【図９】
0003629001.tif 000010